(57)【要約】【課題】構成要素の脱落を抑止するのに有利な締結具を提供する。【解決手段】締結具１０は、第１有効径ｄ１の第１ねじ部１２ａと、第１ねじ部１２ａよりも先端側に設けられ、第１有効径ｄ１よりも小さい第２有効径ｄ２の第２ねじ部１２ｂとを有するボルト１２と、第１有効径ｄ１の第１ねじ穴１４ａを有する第１ナット１４と、第２有効径ｄ２の第２ねじ穴１６ａを有する第２ナット１６とを備える。第２ねじ部１２ｂは、軸方向の中間位置に切り欠き部１２ｄを有し、切り欠き部１２ｄの軸方向の長さＬ４は、第２ナット１６の高さＨ３よりも長く、切り欠き部１２ｄの径ｄ３は、第２有効径ｄ２よりも小さい。【選択図】図１
2019167993.tif 000002
【特許請求の範囲】
【請求項１】
第１有効径の第１ねじ部と、前記第１ねじ部よりも先端側に設けられ、前記第１有効径よりも小さい第２有効径の第２ねじ部とを有するボルトと、
前記第１有効径の第１ねじ穴を有する第１ナットと、
前記第２有効径の第２ねじ穴を有する第２ナットと、
を備え、
前記第２ねじ部は、軸方向の中間位置に切り欠き部を有し、
前記切り欠き部の軸方向の長さは、前記第２ナットの高さよりも長く、
前記切り欠き部の径は、前記第２有効径よりも小さい、
締結具。
【請求項２】
前記第１ねじ部のピッチは、前記第２ねじ部のピッチと異なる、請求項１に記載の締結具。
【請求項３】
光源と、
前記光源を支持する筐体と、
前記筐体を外部の被取付部に対して取り付ける請求項１又は２に記載の締結具と、
を有する、照明器具。
【請求項４】
光源と、
前記光源を支持する筐体と、
前記筐体に取り付けられる第１開放端と、該第１開放端とは反対側にある第２開放端とを有する吊り下げ管と、
前記第２開放端に設けられる締結部と、
を備え、
前記第２開放端は、第１有効径の第１ねじ部と、前記第１ねじ部よりも先端側に設けられ、前記第１有効径よりも小さい第２有効径の第２ねじ部とを有し、
前記締結部は、
前記第１有効径の第１ねじ穴を有する第１ナットと、
前記第２有効径の第２ねじ穴を有する第２ナットと、
を備え、
前記第２ねじ部は、軸方向の中間位置に切り欠き部を有し、
前記切り欠き部の軸方向の長さは、前記第２ナットの高さよりも長く、
前記切り欠き部の径は、前記第２有効径よりも小さい、
照明器具。
【発明の詳細な説明】
【技術分野】
【０００１】
本開示は、締結具、及び、当該締結具を用いた照明器具に関する。
【背景技術】
【０００２】
従来、ボルトとナットとを組み合わせた締結具では、１つのボルトに対して２つのナットを取り付ける、いわゆるダブルナット式を採用することで、ナットの緩みを抑えることが多い。しかし、ダブルナット式を採用しても、例えば、２つのナットの供回りにより、ナットが緩むこともあり得る。そこで、特許文献１は、２つのナットの供回りを起こしづらくする機構をナットに施した締結具を開示している。
【先行技術文献】
【特許文献】
【０００３】
【特許文献１】特開２０１７−１４１８５３号公報
【発明の概要】
【発明が解決しようとする課題】
【０００４】
特許文献１に開示されている締結具では、一旦、何らかの原因で外側の緩み止めナットが緩んでしまった場合、引き続き内側の締め付けナットも緩み始めるので、最終的にナットがボルトから外れることもあり得る。
【０００５】
本開示は、このような従来技術の有する課題に鑑みてなされたものである。そして、本開示の目的は、構成要素の脱落を抑止するのに有利な締結具及び照明器具を提供することにある。
【課題を解決するための手段】
【０００６】
上記課題を解決するために、本開示の態様に係る締結具は、第１有効径の第１ねじ部と、第１ねじ部よりも先端側に設けられ、第１有効径よりも小さい第２有効径の第２ねじ部とを有するボルトと、第１有効径の第１ねじ穴を有する第１ナットと、第２有効径の第２ねじ穴を有する第２ナットと、を備え、第２ねじ部は、軸方向の中間位置に切り欠き部を有し、切り欠き部の軸方向の長さは、第２ナットの高さよりも長く、切り欠き部の径は、第２有効径よりも小さい。
【０００７】
また、本開示の態様に係る照明器具は、光源と、光源を支持する筐体と、筐体を外部の被取付部に対して取り付ける上記の締結具と、を有する。
【０００８】
また、本開示の他の態様に係る照明器具は、光源と、光源を支持する筐体と、筐体に取り付けられる第１開放端と、該第１開放端とは反対側にある第２開放端とを有する吊り下げ管と、第２開放端に設けられる締結部と、を備え、第２開放端は、第１有効径の第１ねじ部と、第１ねじ部よりも先端側に設けられ、第１有効径よりも小さい第２有効径の第２ねじ部とを有し、締結部は、第１有効径の第１ねじ穴を有する第１ナットと、第２有効径の第２ねじ穴を有する第２ナットと、を備え、第２ねじ部は、軸方向の中間位置に切り欠き部を有し、切り欠き部の軸方向の長さは、第２ナットの高さよりも長く、切り欠き部の径は、第２有効径よりも小さい。
【発明の効果】
【０００９】
本開示によれば、構成要素の脱落を抑止するのに有利な締結具及び照明器具を提供することができる。
【図面の簡単な説明】
【００１０】
【図１】本開示の一実施形態に係る締結具の組立図である。
【図２】本開示の一実施形態に係る締結具の分解図である。
【図３】本開示の一実施形態に係る締結具の作用を説明する図である。
【図４】本開示の一実施形態に係る照明器具の構成を示す図である。
【図５】本開示の他の実施形態に係る照明器具の構成を示す図である。
【発明を実施するための形態】
【００１１】
以下、各実施形態について図面を参照しつつ詳細に説明する。以下の説明では、鉛直方向をＺ方向と規定する。また、Ｚ方向に対して垂直となる平面内で互いに垂直となる２方向をＸ方向及びＹ方向と規定する。
【００１２】
（締結具）
まず、一実施形態に係る締結具について説明する。以下、本実施形態に係る締結具は、一例として、互いに別体である２つの板体、すなわち、第１板体３０と第２板体３２とを挟み込んで互いに接触固定させるものとする。第１板体３０は、例えば、ある装置又は器具の筐体を構成する金属板である。この場合、第２板体３２は、例えば、筐体に取り付けられる金具の一部である。
【００１３】
図１は、本実施形態に係る締結具１０の組立図である。図２は、締結具１０の分解図である。なお、図１及び図２に示すように、締結具１０は、ここでは、各構成要素がＺ方向に沿って並び、それぞれ水平面に沿って配置された第１板体３０と第２板体３２とを挟み込んで取り付ける場合を想定している。締結具１０は、ボルト１２と、第１ナット１４と、第２ナット１６とを備える。
【００１４】
ボルト１２は、全体の第１呼び長さをＬ１とし、第２呼び長さＬ２を有する第１ねじ部１２ａと、第３呼び長さＬ３を有する第２ねじ部１２ｂと、高さＨ１を有する頭部１２ｃとを有する六角ボルトである。第２ねじ部１２ｂは、第１ねじ部１２ａよりも先端側に設けられている。第１ねじ部１２ａに形成されているねじ山の有効径は、第１有効径ｄ１である。第１ねじ部１２ａに形成されているねじ山のピッチは、第１ピッチＰ１である。一方、第２ねじ部１２ｂに形成されているねじ山の有効径は、第２有効径ｄ２である。第２ねじ部１２ｂに形成されているねじ山のピッチは、第２ピッチＰ２である。ここで、第２有効径ｄ２は、第１有効径ｄ１よりも小さい。また、第２ピッチＰ２は、第１ピッチＰ１とは異なる。
【００１５】
また、第２ねじ部１２ｂは、軸方向の中間位置に、切り欠き部１２ｄを有する。切り欠き部１２ｄの軸方向の長さＬ４は、後述する第２ナット１６の高さＨ３よりも長い。切り欠き部１２ｄの径ｄ３は、第２有効径ｄ２よりも小さい。第２ねじ部１２ｂの先端面１２ｅから切り欠き部１２ｄまでの長さはＬ５である。長さＬ５は、ボルト１２のコンパクト化の観点から、切り欠き部１２ｄの長さＬ４よりも短くてよい。
【００１６】
第１ナット１４は、第１有効径ｄ１かつ第１ピッチＰ１の第１ねじ穴１４ａを有する六角ナットである。つまり、ボルト１２の第１ねじ部１２ａには、第１ナット１４の第１ねじ穴１４ａが係合可能である。また、第１ナット１４の高さはＨ２である。
【００１７】
第２ナット１６は、第２有効径ｄ２かつ第２ピッチＰ２の第２ねじ穴１６ａを有する六角ナットである。つまり、ボルト１２の第２ねじ部１２ｂには、第２ナット１６の第２ねじ穴１６ａが係合可能である。また、第２ナット１６の高さはＨ３である。
【００１８】
次に、ボルト１２、第１ナット１４及び第２ナット１６を用いた、第１板体３０と第２板体３２とを取り付けについて説明する。この前提として、第１板体３０には、ボルト１２の第１ねじ部１２ａを貫通可能な貫通孔３０ａが形成されているものとする。同様に、第２板体３２には、第１ねじ部１２ａを貫通可能な貫通孔３２ａが形成されているものとする。つまり、貫通孔３０ａ及び貫通孔３２ａの径は、それぞれ第１ねじ部１２ａの呼び径よりも大きい。
【００１９】
まず、ボルト１２の第１ねじ部１２ａ及び第２ねじ部１２ｂが、互いに重ね合わされた第１板体３０及び第２板体３２の上側から、貫通孔３０ａ及び貫通孔３２ａに貫通される。ここで、第１ねじ部１２ａ及び第２ねじ部１２ｂの貫通孔３０ａ及び貫通孔３２ａへの挿入に際しては、図１等に示すように、ばね付き座金２０や座金２２を介して、ボルト１２を第１板体３０及び第２板体３２の取り付けてもよい。なお、ばね付き座金２０の貫通孔２０ａ、及び、座金２２の貫通孔２２ａの径も、それぞれ第１ねじ部１２ａの呼び径よりも大きい。
【００２０】
次に、第１ナット１４の第１ねじ穴１４ａが、第１板体３０及び第２板体３２の下側から、貫通孔３０ａ及び貫通孔３２ａから突出しているボルト１２の第１ねじ部１２ａに係合されることで、第１ナット１４がボルト１２に取り付けられる。このとき、第１ナット１４は、第２板体３２に接触する。
【００２１】
次に、第２ナット１６の第２ねじ穴１６ａが、第１板体３０及び第２板体３２の下側から、貫通孔３０ａ及び貫通孔３２ａから突出しているボルト１２の第２ねじ部１２ｂに係合されることで、第２ナット１６がボルト１２に取り付けられる。このとき、第２ナット１６は、第１ナット１４に接触する。この取り付け時には、まず、第２ナット１６は、切り欠き部１２ｄよりも先端面１２ｅ側にある第２ねじ部１２ｂに第２ねじ穴１６ａを係合させながら、切り欠き部１２ｄに向けて進行する。第２ナット１６は、切り欠き部１２ｄに到達すると、第２ナット１６の高さＨ３が切り欠き部１２ｄの長さＬ４よりも短いので、一旦空回りする。しかし、第２ナット１６は、そのまま上方に進行しつつ回転し、次に、切り欠き部１２ｄよりも第１ねじ部１２ａ側にある第２ねじ部１２ｂに係合する。最終的に、第２ナット１６は、第１ナット１４に接触し、図１に示すような状態で、締結具１０による締結が完了する。
【００２２】
ここで、ばね付き座金２０の厚さをＨ４、座金２２の厚さをＨ５、第１板体３０の厚さをＨ６、及び、第２板体３２の厚さをＨ７とする。また、ボルト１２に第１ナット１４及び第２ナット１６が締め付けられた状態では、ボルト１２における第１ねじ部１２ａの根元位置から、Ｚ方向に沿って、切り欠き部１２ｄまでの長さをＬ６とする。このとき、厚さＨ４、厚さＨ５、厚さＨ６、厚さＨ７及び高さＨ２を加えた寸法は、図１に示すように、ボルト１２の第１ねじ部１２ａの第２呼び長さＬ２よりも長く、かつ、長さＬ６よりも短い。また、厚さＨ４、厚さＨ５、厚さＨ６、厚さＨ７、高さＨ２及び高さＨ３を加えた寸法は、図１に示すように、長さＬ６よりも長い。
【００２３】
次に、締結具１０を構成する各構成要素の寸法例について説明する。この前提として、第１板体３０の厚さＨ６及び第２板体３２の厚さＨ７は、それぞれ１〜２ｍｍ程度であるものとする。
【００２４】
この場合、ボルト１２は、ＪＩＳ規格及びＩＳＯ規格に準拠するＭ８サイズに合わせた寸法としてもよい。つまり、第１ねじ部１２ａの第１ピッチＰ１は、Ｍ８サイズで規定されたピッチとなる。以下、ボルト１２の第１ねじ部１２ａがＭ８サイズを基準としたものであると想定する。このとき、ボルト１２の第２ねじ部１２ｂは、Ｍ６サイズで形成されてもよい。例えば、第２呼び長さＬ２を１２ｍｍ程度、長さＬ６を１７ｍｍ程度とそれぞれ決定してもよい。切り欠き部１２ｄに関しては、例えば、径ｄ３を５ｍｍ程度、長さＬ４を５．５ｍｍ程度とそれぞれ決定してもよい。また、長さＬ５を例えば４ｍｍ程度としてもよい。
【００２５】
第１ナット１４、又は、ばね付き座金２０若しくは座金２２は、それぞれ、ボルト１２の第１ねじ部１２ａのサイズであるＭ８サイズに適合するものであってもよい。この場合、第１ナット１４の高さＨ２は、例えば６．５ｍｍ程度となる。
【００２６】
第２ナット１６は、ボルト１２の第２ねじ部１２ｂのサイズであるＭ６サイズに適合するものであってもよい。この場合、第２ナット１６の高さＨ３は、例えば５ｍｍ程度となる。
【００２７】
次に、締結具１０の緩み時の作用について説明する。図３は、締結具１０の緩み時の作用を説明するための図である。図３（ａ）は、緩み時の第１段階を示す図である。図３（ｂ）は、第１段階に続く、緩み時の第２段階を示す図である。
【００２８】
例えば、第１板体３０又は第２板体３２から伝達した振動等に起因して、締結具１０に緩みが生じる場合、締結具１０の構造から、最初に緩み始めるのは、第２ナット１６である。ここで、第２ナット１６の第２ねじ穴１６ａが係合しているボルト１２の第２ねじ部１２ｂの第２ピッチＰ２は、第１ナット１４の第１ねじ穴１４ａが係合しているボルト１２における第１ねじ部１２ａの第１ピッチＰ１とは異なる。つまり、締結具１０に与えられている振動が、第２ナット１６を緩ませる原因となり得るものである場合には、その振動数は、第２ピッチＰ２のナット類を緩ませるのに適当なものである。したがって、このとき、第２ピッチＰ２とは異なる第１ピッチＰ１のナット類である第１ナット１４は、第２ナット１６とは異なり緩みづらい状態にある。
【００２９】
そのため、緩み時の第１段階では、図３（ａ）に示すように、第２ナット１６は、細線の矢印で示すように回転しながら、白抜きの矢印で示すように下方に向けて徐々に緩み、いずれ切り欠き部１２ｄに到達する。ここで、上記のとおり、切り欠き部１２ｄの径ｄ３は、第２有効径ｄ２よりも小さい。また、切り欠き部１２ｄの長さＬ４は、第２ナット１６の高さＨ３よりも長い。そのため、第２ナット１６は、切り欠き部１２ｄに到達すると、切り欠き部１２ｄに留まった状態となって空回りを引き起こす。結果として、第２ナット１６は、先端面１２ｅ側の第２ねじ部１２ｂに引っ掛かり、それ以上、下方に進行することが阻害される。すなわち、第２ナット１６は、ボルト１２の第２ねじ部１２ｂから抜けづらくなり、その状態でボルト１２に保持される。
【００３０】
その後、第１ピッチＰ１のナット類を緩ませるのに適当な振動数の振動が締結具１０に与えられたとする。この場合、緩み時の第２段階として、図３（ｂ）に示すように、ボルト１２に対して、第１ナット１４が、細線の矢印で示すように回転しながら、白抜きの矢印で示すように下方に向けて徐々に緩み始める。このとき、ボルト１２と第１ナット１４とによる第１板体３０及び第２板体３２の挟み込みが解除されるので、第１板体３０及び第２板体３２、並びに、ばね付き座金２０及び座金２２は、第１ナット１４の移動に合わせて下方へ移動する。ここで、第１ナット１４の下方には、切り欠き部１２ｄに留まった状態の第２ナット１６が存在する。つまり、第１ナット１４は、いずれ、第２ナット１６の一部に当接し、それ以上、下方に進行することが阻害される。すなわち、第１ナット１４は、その状態でボルト１２に保持される。
【００３１】
次に、締結具１０の効果について説明する。
【００３２】
まず、本実施形態に係る締結具１０は、第１有効径ｄ１の第１ねじ部１２ａと、第１ねじ部１２ａよりも先端側に設けられ、第１有効径ｄ１よりも小さい第２有効径ｄ２の第２ねじ部１２ｂとを有するボルト１２を備える。また、締結具１０は、第１有効径ｄ１の第１ねじ穴１４ａを有する第１ナット１４と、第２有効径ｄ２の第２ねじ穴１６ａを有する第２ナット１６とを備える。ここで、第２ねじ部１２ｂは、軸方向の中間位置に切り欠き部１２ｄを有する。切り欠き部１２ｄの軸方向の長さＬ４は、第２ナット１６の高さＨ３よりも長い。切り欠き部１２ｄの径ｄ３は、第２有効径ｄ２よりも小さい。
【００３３】
このような締結具１０によれば、ボルト１２に締結されている第２ナット１６又は第１ナット１４が緩んだとしても、第２ナット１６及び第１ナット１４は、上記のとおり、特定の位置において、それ以上、下方に進行することが阻害される。したがって、締結具１０に含まれるいずれかの構成要素が脱落することが抑止される。なお、第２ナット１６又は第１ナット１４が緩んだ状態で維持されている締結具１０は、その後、定期点検等で発見した作業者が再度締結し直すことにより、容易に締結状態を回復させることができる。
【００３４】
また、締結具１０によれば、構成要素同士を噛み合わせるなど、構成要素の一部を変形させることがない。したがって、一度締結に用いた締結具１０を、その後、取り外して別の締結に用いるような再利用を容易に行うことができる。
【００３５】
また、締結具１０では、第１ねじ部１２ａの第１ピッチＰ１は、第２ねじ部１２ｂの第２ピッチＰ２とは異なるものとしてもよい。
【００３６】
このような締結具１０によれば、締結具１０が受けた一度の振動で、第２ナット１６と第１ナット１４とが同時に緩むことを抑えることができる。したがって、第２ナット１６が緩んだ後の第１ナット１４の緩みの開始タイミングを遅らせることができるので、結果として、第１板体３０と第２板体３２との締結固定が解除されるタイミングを遅らせることができる。
【００３７】
（照明器具）
次に、一実施形態に係る照明器具について説明する。図４は、本実施形態に係る照明器具１００の構成を示す断面図である。なお、図４では、照明器具１００の一部のみを例示している。照明器具１００は、例えば、天井埋込型の照明器具である。
【００３８】
照明器具１００を設置する天井３００は、例えば、建物等の構造物や、鉄道等の輸送車両内にある天井である。天井３００は、構造体３０２と、天井材３０４とを含む。構造体３０２は、厚さＷを有する構造物の一部であり、通常、天井３００に照明器具１００を取り付けた状態では、室内側からは視認されない。天井材３０４は、照明領域に面する外面３０４ｂを化粧面とする平板である。天井材３０４は、構造体３０２との間に一定の間隔を持って設置される。これにより、構造体３０２と天井材３０４との間には、照明器具１００の少なくとも一部を収納可能な内部空間Ｓが形成される。また、天井材３０４は、照明器具１００を照明領域側から挿入可能とする挿入穴３０４ａを有する。
【００３９】
照明器具１００は、光源１０２と、筐体１０４と、ソケット１０６と、ソケット台１０８と、締結具１０とを備える。
【００４０】
光源１０２は、例えば、直管形のＬＥＤ（発光ダイオード）ランプである。筐体１０４は、光源１０２を支持する。また、筐体１０４は、照明器具１００の各構成要素を内部に収納する。筐体１０４は、例えば金属板を組み合わせて構成され、照明領域に向かう光照射面が開放されている。なお、筐体１０４の光照射面には、例えば、乳白色の樹脂からなるパネル１１２が設置されている。筐体１０４の上板１０４ａは、構造体３０２の表面３０２ａに対向する。また、筐体１０４は、光照射面の端部に、フランジ部１０４ｂを有する。照明器具１００が天井３００に取り付けられた状態では、フランジ部１０４ｂは、天井材３０４の外面３０４ｂの一部とＺ方向で重なる。ソケット１０６は、光源１０２を保持する。ソケット台１０８は、ソケット１０６を支持し、ソケット１０６を介して不図示の電源から光源１０２に電力を供給する。
【００４１】
締結具１０は、上記実施形態で説明したものであり、本実施形態では、外部の被取付部としての構造体３０２に対して筐体１０４を取り付けるために用いられる。締結具１０を用いるに際して、天井３００の構造体３０２には、予め、ボルト１２の第１ねじ部１２ａ及び第２ねじ部１２ｂを貫通させるための貫通穴３０２ｂが形成されている。ここで、構造体３０２は、Ｚ方向に厚みＷを有するので、ボルト１２の第１呼び長さＬ１及び第２呼び長さＬ２は、予め厚みＷに対応させた長さに規定される。つまり、照明器具１００では、締結具１０の実施形態でいう第１板体３０及び第２板体３２に代えて、構造体３０２、筐体１０４の上板１０４ａ、及び、締結部位を補強するための金属製の補強板１１０が、締結具１０により挟み込まれて締結固定されることになる。
【００４２】
このような照明器具１００によれば、上記説明した締結具１０を用いて天井３００に取り付けられるので、例えば、締結具１０が構造体３０２側から振動を受けて緩んだとしても、締結具１０の構成要素が脱落することが抑止される。結果として、照明器具１００の筐体１０４が締結具１０から外れづらくなるため、照明器具１００の落下を抑止することができる。
【００４３】
次に、他の実施形態に係る照明器具について説明する。図５は、本実施形態に係る照明器具２００の構成を示す断面図である。図５（ａ）は、照明器具２００の全体構成を示す図である。図５（ｂ）は、照明器具２００に含まれる締結部２１０近傍の拡大図である。照明器具２００は、例えば、室内の天井から吊される吊り下げ型の照明器具である。
【００４４】
照明器具２００は、光源２０２と、筐体２０４と、吊り下げ管２０６と、締結部２１０とを備える。
【００４５】
光源２０２は、例えばＬＥＤ電球である。筐体２０４は、フード型を有し、光の照射方向が下方となるように光源１０２を支持する。
【００４６】
吊り下げ管２０６は、内壁部２０６ａを含む、例えば金属製の直管である。内壁部２０６ａは、光源２０２に外部から電力を供給する配線２０８を貫通させることができる。吊り下げ管２０６は、筐体２０４に取り付けられる第１開放端と、該第１開放端とは反対側にある第２開放端とを有する。吊り下げ管２０６の第２開放端は、第１有効径ｄ１の第１ねじ部２０６ｂと、第１ねじ部２０６ｂよりも先端側に設けられ、第１有効径ｄ１よりも小さい第２有効径ｄ２の第２ねじ部２０６ｃとを有する。第２ねじ部２０６ｃは、軸方向の中間位置に切り欠き部２０６ｄを有する。
【００４７】
締結部２１０は、吊り下げ管２０６の第２開放端に設けられ、第１有効径ｄ１の第１ねじ穴を有する第１ナット２２０と、第２有効径ｄ２の第２ねじ穴を有する第２ナット２２４とを備える。
【００４８】
ここで、吊り下げ管２０６の第２開放端、並びに、締結部２１０に含まれる第１ナット２２０及び第２ナット２２４は、上記実施形態で説明した締結具１０を変形したものである。本実施形態では、これらの構成が、吊り下げ管２０６の第２開放端に、金属製の吊り下げ金具２４０を取り付けるために用いられる。この場合、第１ねじ部２０６ｂは、締結具１０のボルト１２が有する第１ねじ部１２ａに相当する。第２ねじ部２０６ｃは、締結具１０のボルト１２が有する第２ねじ部１２ｂに相当する。切り欠き部２０６ｄは、締結具１０のボルト１２が有する切り欠き部１２ｄに相当する。また、切り欠き部２０６ｄの軸方向の長さＬ４が第２ナット２２４の高さＨ３よりも長い点、及び、切り欠き部２０６ｄの径が第２有効径ｄ２よりも小さい点も、締結具１０と同様の関係にある。そして、照明器具２００では、上記の締結具１０の実施形態でいう第１板体３０及び第２板体３２に代えて、吊り下げ金具２４０が締結部２１０により挟み込まれて、吊り下げ管２０６の第２開放端に締結固定されることになる。
【００４９】
なお、締結部２１０は、第１ナット２２０及び第２ナット２２４に加えて、吊り下げ管２０６に対する緩みをより抑えるために、第３ナット２２２、第１座金２３０及び第２座金２３２を備えてもよい。本実施形態では、一例として、吊り下げ金具２４０と第２ナット２２４との間に、第３ナット２２２が設けられている。また、第１座金２３０が吊り下げ金具２４０と第３ナット２２２との間に、第２座金２３２が吊り下げ金具２４０と第１ナット２２０との間に、それぞれ設けられている。
【００５０】
例えば、天井側に支持されている吊り下げ金具２４０に対して、筐体２０４と一体的に吊り下げ管２０６が回転してしまうことで、吊り下げ管２０６に対して締結部２１０が緩むことも考えられる。しかし、このような照明器具２００によれば、締結部２１０が緩んだとしても、上記の締結具１０の緩み時の作用と同様に、最終的に、第２ナット２２４が切り欠き部２０６ｄに留まり、吊り下げ管２０６の下方への進行が阻害される。つまり、締結部２１０の構成要素が脱落することが抑止される。結果として、照明器具２００の吊り下げ管２０６が吊り下げ金具２４０から外れづらくなるため、照明器具２００の落下を抑止することができる。
【００５１】
以上、好ましい実施形態について説明したが、本実施形態は、これ限定されず、その要旨の範囲内で種々の変形及び変更が可能である。
【符号の説明】
【００５２】
１０    締結具
１２    ボルト
１２ａ，２０６ｂ  第１ねじ部
１２ｄ  切り欠き部
１４，２２０      第１ナット
１４ａ  第１ねじ穴
１６，２２４      第２ナット
１６ａ  第２ねじ穴
１００，２００  照明器具
１０２，２０２  光源
１０４，２０４  筐体
２０６  吊り下げ管
２１０  締結部
ｄ１    第１有効径
ｄ２    第２有効径
ｄ３    切り欠き部の径
Ｈ３    第２ナットの高さ
Ｌ４    切り欠き部の長さ
Ｐ１    第１ピッチ
Ｐ２    第２ピッチ
【図１】
2019167993.tif 000003
【図２】
2019167993.tif 000004
【図３】
2019167993.tif 000005
【図４】
2019167993.tif 000006
【図５】
2019167993.tif 000007